(57)【要約】【課題】新メータユニットの走行距離が不正に書換えられることなく旧メータユニットの走行距離を確実に新メータユニットに書換え可能にする。【解決手段】走行距離を記憶する記憶部３と、走行距離を表示する表示部４とを有するメータユニット１と、サービステスタ１０と、データベース２０ｂとが通信可能に接続され、旧メータユニット１Ａの記憶部３に記憶されたメータ固有情報を読出し、記憶する記憶ステップと、新メータユニット１Ｂ装着時、新メータユニット１Ｂの記憶部３に記憶されたメータ固有情報を読出す読出ステップと、データベース２０ｂに記憶された旧メータユニット１Ａのメータ固有情報と、読出ステップにより読み出された新メータユニット１Ｂのメータ固有情報とを比較する比較ステップと、比較ステップの結果、メータ固有情報が不一致の時、旧メータユニット１Ａの走行距離の新メータユニット１Ｂへの書込みを制限する制限ステップとを備える。【選択図】 図１
2005053397.tif 000002
【特許請求の範囲】
【請求項１】
車両に搭載され、計測手段で計測された走行距離データを含むメータ固有の特定情報を記憶する記憶部と、該記憶部に記憶された走行距離データを表示する表示部とを有するメータユニットと、車両外部に設けられたデータ処理手段と、車両外部に設けられ、メータ固有の特定情報を含む車両の各種データを記憶するデータベースユニットとが通信可能に接続されたメータユニットの交換方法であって、
交換対象の旧メータユニットの記憶部に記憶されているメータ固有の特定情報を読み出し、記憶する記憶ステップと、
新メータユニット装着時、新メータユニットの記憶部に記憶されているメータ固有の特定情報を読み出す読出ステップと、
上記データベースユニットに記憶されている旧メータユニットのメータ固有の特定情報と、上記読出ステップによって読み出された新メータユニットのメータ固有の特定情報とを比較する比較ステップと、
上記比較ステップの結果、メータ固有の特定情報が一致しない場合、旧メータユニットの走行距離データの新メータユニットへの書込みを制限する制限ステップとを備えることを特徴とする車両のメータユニット交換方法。
【請求項２】
上記メータ固有の特定情報には、少なくともメータユニットの部品番号が含まれており、
上記比較ステップでは、メータユニットの部品番号について、旧メータユニットと新メータユニットとのデータを比較するよう構成されていることを特徴とする請求項１記載の車両のメータユニット交換方法。
【請求項３】
上記データ処理手段は、操作者による走行距離データの入力が可能に構成されるとともに、
上記比較ステップは、上記データベースユニットに記憶されている走行距離データと、上記データ処理手段に入力された走行距離データとを比較可能に構成されていることを特徴とする請求項１又は２に記載の車両のメータユニット交換方法。
【請求項４】
上記メータユニットの記憶部に記憶されている走行距離データは、上記データ処理手段使用時に上記メータユニットから読み出され、記憶されることを特徴とする請求項１乃至３のいずれか一つに記載の車両のメータユニット交換方法。
【請求項５】
上記メータユニットの記憶部に記憶されている走行距離データは、無線通信手段を介して定期的に上記メータユニットの記憶部から読み出され、記憶されることを特徴とする請求項１乃至４のいずれか一つに記載の車両のメータユニット交換方法。
【請求項６】
車両に搭載され、計測手段で計測された走行距離データを含むメータ固有の特定情報を記憶する記憶部と、該記憶部に記憶された走行距離データを表示する表示部とを有するメータユニットと、車両外部に設けられたデータ処理手段と、車両外部に設けられ、メータ固有の特定情報を含む車両の各種データを格納するデータベースユニットとが通信可能に接続された走行距離表示装置であって、
交換対象の旧メータユニットの記憶部に記憶されているメータ固有の特定情報を読み出し、記憶する記憶手段と、
新メータユニット装着時、新メータユニットの記憶部に記憶されているメータ固有の特定情報を読み出す読出手段と、
上記データベースユニットに記憶されている旧メータユニットのメータ固有の特定情報と、上記読出ステップによって読み出された新メータユニットのメータ固有の特定情報とを比較する比較手段と、
上記比較ステップの結果、メータ固有の特定情報が一致しない場合、旧メータユニットの走行距離データの新メータユニットへの書込みを制限する制限手段とを備えていることを特徴とする走行距離表示システム。
【発明の詳細な説明】
【技術分野】
【０００１】
本発明は、車両の走行距離データを記憶する記憶部とこの走行距離データを表示する表示部とを備えた車両の走行距離表示用のメータユニットを交換する場合、旧メータユニットの走行距離データを新メータユニットに不正なく書換えることが可能とされた車両のメータユニット交換方法及び走行距離表示システムに関する。
【背景技術】
【０００２】
従来、車両に搭載される走行距離表示装置は、車速センサ等の計測手段によって計測された走行距離を記憶する記憶部と、この記憶部に記憶された総走行距離（走行距離の積算値）を液晶ディスプレィ等の表示部に表示させる表示部とを備えたメータユニットとして構成されている。
ここで、車両の総走行距離は、車両価格を決定するだけではなく、各種保険や保険の契約等における重要なパラメータとなるため、通常、この総走行距離が不正に変更できないようにされている。
【０００３】
ところで、メータユニットに故障が生じた場合、メータユニットを旧メータユニットから新メータユニットに交換する必要があるが、その際、新メータユニットには、旧メータユニットの総走行距離を表示させる必要がある。
しかしながら、上述の通り、メータユニットの記憶部に記憶された総走行距離は、不正に変更できないようになっていることから、従来は、メータユニットを交換する際、旧メータユニット搭載時の車両の総走行距離を整備記録として記録するだけに留まり、新メータユニットには旧メータユニット搭載時の総走行距離を表示させることはできなかった。
これでは、総走行距離を容易に把握することができなくなり不便であるし、整備記録が紛失した場合、総走行距離を把握できなくなる虞がある。
【０００４】
そこで、下記特許文献１には、スピードメータとオドメータとを有するコンビネーションメータと、このコンビネーションメータとデータ通信可能に接続された外部装置とを備え、外部装置は、走行距離の積算値を演算する制御部と、この制御部で演算された走行距離の積算値を更新、記憶する記憶部とを有し、コンビネーションメータを交換した場合、交換が不要な外部装置の記憶部に記憶された交換前からの走行距離の積算値が新オドメータに表示されるように構成されている。
このような特許文献１によれば、コンビネーションメータが交換された場合であっても、交換前の走行距離を表示することができるものである。
【特許文献１】特開平１０−１０９５６６号公報
【発明の開示】
【発明が解決しようとする課題】
【０００５】
しかしながら、上記特許文献１によれば、外部装置の制御部が故障した場合は、交換前の走行距離の積算値を新オドメータに表示することができないという問題がある。
また、上記特許文献１によれば表示部となるコンビネーションメータと、記憶部となる外部装置とが別々に設けられるため、互いを接続するためのワイヤーハーネスが必要になる等メータユニットとしてのコストも高くなるという問題がある。
【０００６】
本発明は、以上のような課題に勘案してなされたもので、その目的は、メータユニット交換時、新メータユニットの走行距離が不正に書換えられることなく旧メータユニットの走行距離を確実に新メータユニットに書換え可能としたメータユニット交換方法及び走行距離表示装置を提供することにある。
【課題を解決するための手段】
【０００７】
前記目的を達成するため、本発明にあってはその解決手法として次のようにしてある。すなわち、本発明の第１の構成において、車両に搭載され、計測手段で計測された走行距離データを含むメータ固有の特定情報を記憶する記憶部と、該記憶部に記憶された走行距離データを表示する表示部とを有するメータユニットと、車両外部に設けられたデータ処理手段と、車両外部に設けられ、メータ固有の特定情報を含む車両の各種データを格納するデータベースユニットとが通信可能に接続されたメータユニットの交換方法であって、
交換対象の旧メータユニットの記憶部に記憶されているメータ固有の特定情報を読み出し、記憶する記憶ステップと、
新メータユニット装着時、新メータユニットの記憶部に記憶されているメータ固有の特定情報を読み出す読出ステップと、
上記データベースユニットに記憶されている旧メータユニットのメータ固有の特定情報と、上記読出ステップによって読み出された新メータユニットのメータ固有の特定情報とを比較する比較ステップと、
上記比較ステップの結果、メータ固有の特定情報が一致しない場合、旧メータユニットの走行距離データの新メータユニットへの書込みを制限する制限ステップとを備えるよう構成してある。
ここで、近年では、車両の各種情報や、道路情報等が格納されるデータベースを備える情報センター（データベースユニット）と、その情報センターと契約した車両との間において各種情報の授受が可能とされており、この情報センターから渋滞情報等各種情報の提供を受けることによって、車両の更なる利便性向上を図ることができるようになっている。
本発明の第１の構成によれば、この情報センターのような車両外部のデータベースユニットにメータ固有の特定情報を記憶させるようにしておくことによって、メータ固有の特定情報を確実に記憶させておくことができるため、新メータユニットに、旧メータユニットの走行距離データ（総走行距離）を確実に表示させることができる。
また、新メータユニット装着時、旧メータユニットの走行距離データを新メータユニットへ書込む際、旧メータユニットのメータ固有の特定情報と、新メータユニットのメータ固有の特定情報とを比較し、メータ固有の特定情報が一致しない場合、旧メータユニットの走行距離データの新メータユニットへの書込みが制限されるため、不正、或いは誤って走行距離データが少なくなる方向に書込まれてしまうことを抑制することができる。  
【０００８】
本発明の第２の構成において、上記メータ固有の特定情報には、少なくともメータユニットの部品番号が含まれており、
上記比較ステップでは、メータユニットの部品番号について、それぞれ旧メータユニットと新メータユニットとのデータを比較するよう構成してある。
本発明の第２の構成によれば、メータユニットの部品番号の比較に基づいて旧メータユニットと新メータユニットとの一致状況を確認することができる。
【０００９】
本発明の第３の構成において、上記データ処理手段は、操作者による走行距離データの入力が可能に構成されるとともに、
上記比較ステップは、上記データベースユニットに記憶されている走行距離データと、上記データ処理手段に入力された走行距離データとを比較可能に構成してある。
ここで、メータユニット故障に伴いメータユニットを交換する際、旧メータユニットに記憶されている走行距離データを読み出すことができない場合がある。
本発明の第３の構成によれば、データ処理手段は操作者による走行距離データの入力が可能に構成されるとともに、入力された走行距離データがデータベースユニットに記憶され走行距離データと比較されるため、メータユニットが故障した場合であっても、操作者が実際の走行距離データをデータ処理手段に入力することによって、走行距離データの比較に基づいてメータユニットの一致状況を確認することができる。
【００１０】
本発明の第４の構成において、上記メータユニットの記憶部に記憶されている走行距離データは、上記データ処理手段使用時に上記メータユニットから読み出され、記憶されるよう構成してある。
本発明の第４の構成によれば、データ処理手段を使用した点検、或いはサービス時に、メータユニットの記憶部に記憶されている最新の走行距離データがデータベースユニットに転送されるため、点検、サービスと同時に走行距離データをデータベースユニットに記憶させることができる。
【００１１】
本発明の第５の構成において、上記メータユニットの記憶部に記憶されている走行距離データは、無線通信手段を介して定期的に上記メータユニットの記憶部から読み出され、記憶されるよう構成してある。
ここで、走行距離データに基づいてメータユニットの一致状況を確認する場合、それまでデータベースユニットに記憶されている走行距離データが、新メータユニット装着時に読込んだ最新の走行距離データと一致若しくは所定距離少ない場合、メータユニットは一致状況にあることを確認できる。
ところで、点検等は故障等突発的なことがない限り比較的長い間隔（例えば、六ヶ月毎や十二ヶ月毎等）で行われるため、データ処理手段の使用頻度は低くく、データベースユニットには比較的古い走行距離データが記憶されていることになる。
その結果、前回記憶された時点から一時的に走行距離が大幅に延びた場合、前回データベースユニットに記憶された走行距離データと、実際の走行距離データとの差が大きくなり過ぎ、同一のメータユニットであるかどうかの判断が難しくなる虞がある。
本発明の第５の構成によれば、メータユニットの記憶部に記憶されている走行距離データは、無線通信手段を介して定期的にメータユニットの記憶部から読み出し、記憶されるため、常に、最新の走行距離データをデータベースユニットに記憶しておくことができ、メータユニットの一致状況を確実に判断することができる。
【００１２】
本発明の第６の構成において、車両に搭載され、計測手段で計測された走行距離データを含むメータ固有の特定情報を記憶する記憶部と、該記憶部に記憶された走行距離データを表示する表示部とを有するメータユニットと、車両外部に設けられたデータ処理手段と、車両外部に設けられ、メータ固有の特定情報を含む車両の各種データを格納するデータベースユニットとが通信可能に接続された走行距離表示装置であって、
交換対象の旧メータユニットの記憶部に記憶されているメータ固有の特定情報を読み出し、記憶する記憶手段と、
新メータユニット装着時、新メータユニットの記憶部に記憶されているメータ固有の特定情報を読み出す読出手段と、
上記データベースユニットに記憶されている旧メータユニットのメータ固有の特定情報と、上記読出ステップによって読み出された新メータユニットのメータ固有の特定情報とを比較する比較手段と、
上記比較ステップの結果、メータ固有の特定情報が一致しない場合、旧メータユニットの走行距離データの新メータユニットへの書込みを制限する制限手段とを備えるよう構成してある。
本発明の第６の構成によれば、情報センターのような車両外部のデータベースユニットにメータ固有の特定情報を記憶させるようにしておくことによって、メータ固有の特定情報を確実に記憶させておくことができるため、新メータユニットに、旧メータユニットの走行距離データ（総走行距離）を確実に表示させることができる。
また、新メータユニット装着時、旧メータユニットの走行距離データを新メータユニットへ書込む際、旧メータユニットのメータ固有の特定情報と、新メータユニットのメータ固有の特定情報とを比較し、メータ固有の特定情報が一致しない場合、旧メータユニットの走行距離データの新メータユニットへの書込みが制限されるため、不正、或いは誤って走行距離データが少なくなる方向に記憶されてしまうことを抑制することができる。
【発明の効果】
【００１３】
本発明によれば、メータユニット交換時、新メータユニットの走行距離が不正に書換えられることなく旧メータユニットの走行距離を確実に新メータユニットに書換えすることができる。
【発明を実施するための最良の形態】
【００１４】
以下、本発明の実施の形態を図面に基づいて説明する。
【００１５】
図１は本実施形態に関するシステムブロック図であって、メータユニット１は、制御部２と、記憶部であるメモリ３と、オドメータ表示部４とを一体的に備えており、制御部２とメモリ３、制御部３とオドメータ表示部４とは、それぞれデータバスライン５、６を介して接続されている。
このメータユニット１は、車体のインストゥルメントパネル（不図示）に装着され、車体に配線された多重バスライン７にコネクタ１ａ、１ｂを介して電気的に接続解除可能に接続されている。
また多重バスライン７に対しては、後述するサービステスタ１０がコネクタ１０ａ、１０ｂを介して電気的に接続解除可能に接続されている。
また、サービステスタ１０は、インターネット等のネッワーク１１を介して情報センター２０と通信可能に接続されている。
【００１６】
制御部２には、ＣＰＵ、ＲＯＭ、ＲＡＭとを有するマイクロコンピュータ（不図示）が設けられており、この制御部２は、総走行距離を演算し、演算された総走行距離を記憶部３に記憶するとともに、その記憶部３に記憶された総走行距離をオドメータ表示部４に表示させるよう構成されている。
総走行距離は車速センサ８により検出された車速信号をパワートレインコントロールモジュール（ＰＣＭ）９を介して受け、その車速信号に基づいて走行距離を計測するとともに、計測された走行距離を積算するものである。
尚、パワートレインコントロールモジュール（以下、ＰＣＭと称す）９は、燃料噴射弁、点火プラグ、自動変速機（いずれも不図示）等を制御するコントロールユニットであって、このＰＣＭ９には、車両シリアルＮｏ．、ＰＣＭ部品番号が予め記憶されている。  
【００１７】
また、メモリ３には、上述した制御部２において演算された総走行距離データの他、メータ部品番号が予め記憶されている。
このメータ部品番号は、同種の車両に搭載可能な複数のメータユニットに共通に付けられたメータ固有の特定情報である。       
【００１８】
サービステスタ１０は、メータユニット１の交換が可能なサービス工場等に設置され、このサービステスタ１０には、マイクロコンピュータと、メモリ（いずれも不図示）とが設けられている。
このサービステスタ１０は、コネクタ１０ａ、１０ｂを介して多重バスラインに電気的に接続解除可能とされており、通常は、多重バスライン７から切り離されている。
また、メモリは、メータユニット１の記憶部から読み出した総走行距離データ、メータ部品番号、ＰＣＭ９から読み出した車両シリアルＮｏ．、ＰＣＭ部品番号を一時的に記憶可能に構成されている。
【００１９】
データベースユニットとしての情報センター２０は、演算処理装置としてのサーバ２０ａと、契約車両の総走行距離データ、メータ部品番号、車両シリアルＮｏ．、ＰＣＭ部品番号等各種情報が記憶されるデータベース２０ｂと、サービステスタ１０やメータユニット１との通信を可能とする通信部２０ｃとを備えている。
これらのサーバ２０ａ、データベース２０ｂ、通信部２０ｃは、データバスライン２１を介して接続されている。
【００２０】
次に、車両に装備されたメータユニット１の交換方法について、図２乃至図４に基づき説明する。
図２は交換前に点検等によって旧メータユニット１Ａにサービステスタ１０が接続され、総走行距離データや、メータ部品番号等の各データを情報センター２０のデータベース２０ａに記憶させる状態を示す図であって、旧メータユニット１Ａがサービステスタ１０に接続されると、図２に示すように、メモリ３から総走行距離データ、メータ部品番号を読み出すとともに、ＰＣＭ９から車両シリアルＮｏ．、ＰＣＭ部品番号を読み出し、サービステスタ１０のメモリに一時的に記憶する。この時、サービステスタ１０を、ネットワーク１１を介して情報センター２０に接続しておく。
情報センター２０は、サービステスタ１０が接続されるとサービステスタ１０に対して読み出し指令を送信し、サービステスタ１０のメモリに記憶されている総走行距離データ、メータ部品番号、車両シリアルＮｏ．、ＰＣＭ部品番号を読み出し、データベース２０ｂに記憶する。
尚、サービステスタ１０に一時的に記憶されている各データは、情報センター２０からの読み出し指令によらず、サービステスタ１０の操作によって強制的に情報センター２０のデータベース２０ｂに送信するようにしてもよい。
【００２１】
そして、旧メータユニット１Ａが故障すると、旧メータユニット１Ａを取り外し、図３に示すように、新メータユニット１Ｂを車両に取付ける。
そして、新メータユニット１Ｂにサービステスタ１０を接続するとともに、ネットワーク１１を介してサービステスタ１０を情報センター２０に接続する。
新メータユニット１Ｂにサービステスタ１０が接続されると、新メータユニット１Ｂのメモリ３からメータ部品番号を読み出すとともに、ＰＣＭ９から車両シリアルＮｏ．、ＰＣＭ部品番号を読み出し、サービステスタ１０のメモリに一時的に記憶する。
ここで、新メータユニット１Ｂのメモリ３から総走行距離データを読み出さないのは、新メータユニット１Ｂは、車両装着前であることから、通常、総走行距離データは略０ｋｍになっているため、この総走行距離データとデータベース１０ｂに記憶されている総走行距離データとは大きくずれ、一致状況の確認が難しいためである。
そこで、サービステスタ１０の操作者は、旧メータユニット１Ａ装着状態における最新の総走行距離データ（例えば、１２３４５６ｋｍ）をサービステスタ１０に入力する。
尚、ここでは、オドメータ表示部４に表示される総走行距離は０ｋｍとされている。
【００２２】
そして、図４に示すように、情報センター２０は、サービステスタ１０が接続された時、メータ部品番号、車両シリアルＮｏ．、ＰＣＭ部品番号、及び入力された総走行距離データを受信するとともに、各データについて、それぞれ、現在記憶している各データと比較し、今回受信した総走行距離データが現在記憶している総走行距離データよりも大きく、かつメータ部品番号、車両シリアルＮｏ．、ＰＣＭ部品番号が一致した場合、受信した総走行距離データを新メータユニット１Ｂのメモリ３に書込みを許可する指令を出力する。
その結果、新メータユニット１Ｂには、旧メータユニット１Ａの総走行距離１２３４５６ｋｍが表示されるようになる。
尚、今回受信した総走行距離データが現在記憶されている総走行距離データよりも小さい、或いはメータ部品番号、車両シリアルＮｏ．、ＰＣＭ部品番号のいずれか一つでも一致しない場合は、新メータユニット１Ｂへの総走行距離データへの書込みを制限する。
【００２３】
以上のようなメータユニット１の交換方法について、図５乃至図７のフローチャートに基づき詳細に説明する。
図５はサービステスタ１０による処理を示すフローチャート、図６はサーバ２０ａによる処理を示すフローチャート、図７は新メータユニット１Ｂによる処理を示すフローチャートである。
【００２４】
まず、サービステスタ１０によってサービスを行う前、操作者は、通常の故障診断等を行う点検モードと、メータ交換モードとのいずれを行うかそのサービスモードを設定しておく。
また、メータ交換モードを設定した場合、操作者は、旧メータユニット１Ｂの総走行距離データをサービステスタ１０に入力する。
その操作後における、サービステスタ１０による処理を図５に基づき説明する。
図５のステップＳ１において、設定されたサービスモードがメータ交換モードであるか否かは判別する。
ステップＳ１でＮＯと判定された時、つまり、通常の点検モードと判定された時、ステップＳ２に進み、メモリ３に記憶されている総走行距離データ、メータ部品番号と、ＰＣＭ９に記憶されている車両シリアルＮｏ．と、ＰＣＭ部品番号の読み出し指令を出力し、続く、ステップＳ３で、読み出された各データをサービステスタ１０のメモリに一時的に記憶する。
また、ステップＳ１でＮＯと判定された時、つまり、メータ交換モードであることが判定された時、ステップＳ４に進み、メモリ３に記憶されているメータ部品番号と、ＰＣＭ９に記憶されている車両シリアルＮｏ．と、ＰＣＭ部品番号の読み出し指令を出力し、続く、ステップＳ５で、読み出された各データをサービステスタ１０のメモリに一時的に記憶する。
ステップＳ６では、操作者によってサービステスタ１０に入力された総走行距離データを読込み、続くステップＳ７では、読込まれた総走行距離データをサービステスタ１０のメモリに一時的に記憶する。
【００２５】
次に、サーバ２０ａによる処理を図６に基づき説明する。
図６のステップＳ１０では、サービステスタ１０がサーバ２０ａに対して接続状態になっているか否か判定する。
ステップＳ１０でＹＥＳと判定された時は、ステップＳ１１に進み、サービステスタ１０のメモリに対し、一時的に記憶されている総走行距離データ、メータ部品番号、ＰＣＭ９に記憶されている車両シリアルＮｏ．、ＰＣＭ部品番号の読み出し指令を出力する。
続く、ステップＳ１２では、ステップＳ１１の指令に対して読み出された各データを受信する。
ステップＳ１３では、サービステスタ１０により設定されたサービスモードがメータ交換モードであるか否か判定する。
ステップＳ１３でＮＯと判定された時、つまり、通常の点検モードであると判定された時は、ステップＳ１４に進み、ステップＳ１２で受信した総走行距離データ、メータ部品番号、ＰＣＭ９に記憶されている車両シリアルＮｏ．、ＰＣＭ部品番号をデータベース２０ｂに記憶する。
また、ステップＳ１３でＹＥＳと判定された時、つまり、メータ交換モードであると判定された時は、ステップＳ１５に進み、今回受信した総走行距離データが現在記憶している総走行距離データよりも大きいか否か判定する。
ここで、今回受信した総走行距離データは、図３のステップＳ７で読込まれた操作者により入力された総走行距離データである。
ステップＳ１５でＹＥＳと判定された時は、ステップＳ１６に進み、ステップＳ１２で受信したメータ部品番号、ＰＣＭ９に記憶されている車両シリアルＮｏ．、ＰＣＭ部品番号が、現在記憶されている各データと一致するか否か判定する。
ステップＳ１６でＹＥＳと判定された時、つまり、各部品データが一致した場合、同一車両に装着されるメータ交換であることが確認されるため、ステップＳ１７に進み、ステップＳ１２で受信した総走行距離データの新メータユニット１Ｂのメモリへの書込み指令を出力し、その後、ステップＳ１４で各データをデータベース２０ｂに記憶する。
また、ステップＳ１５、Ｓ１６のいずれかの判定でＮＯと判定された時は、メータが一致していないことから、ステップＳ１８に進み、総走行距離データの新メータユニット１Ｂのメモリへの書込みを禁止する。
尚、ステップＳ１８に進んだ場合は、ステップＳ１２で受信した各データのデータベース２０ｂへ書込むことなくリターンする。
また、ステップＳ１０でＮＯと判定された時は、何ら処理を行うことなくリターンする。
【００２６】
次に、メータユニット１による処理を図７に基づき説明する。
図７のステップＳ２０では、サービステスタ２０が接続されているか否か判定する。
ステップＳ２０でＹＥＳと判定された時は、ステップＳ２１に進み、サービステスタ１０からの読み出し指令を受信しているか否か判定する。
ステップＳ２１でＹＥＳと判定された時は、ステップＳ２２に進み、総走行距離データ、メータ部品番号をサービステスタ１０に送信する。
また、ステップＳ２１でＮＯと判定された時は、ステップＳ２２の処理をバイパスしてステップＳ２３に進む。
ステップＳ２３では、サーバ２０ａから総走行距離データの書込み指令を受信しているか否か判定する。
ステップＳ２３でＹＥＳと判定された時は、ステップＳ２４に進み、サービステスタ１０に入力された総走行距離データをメモリ３に書込む。
また、ステップＳ２３でＮＯと判定された時は、ステップＳ２４の処理をバイパスしてリターンする。
また、ステップＳ２０の判定でＮＯと判定された時、つまり、サービステスタ１０が接続されない通常状態である時、ステップＳ２５に進み、総走行距離データをオドメータ表示部４に表示させる通常の表示制御を行う。
【００２７】
以上のように、本実施形態によれば、この情報センター２０のような車両外部のデータベース２０ｂにメータ部品番号や総走行距離データ等のメータ固有の特定情報を記憶させるようにしておくことによって、メータ固有の特定情報を確実に記憶させておくことができるため、新メータユニット１Ｂに、旧メータユニット１Ａの総走行距離データを確実に表示させることができる。
また、新メータユニット１Ｂ装着時、旧メータユニット１Ａの総走行距離データを新メータユニット１Ａへ書込む際、旧メータユニット１Ｂのメータ固有の特定情報と、新メータユニット１Ａのメータ固有の特定情報とを比較し、メータ固有の特定情報が一致しない場合、旧メータユニットの総走行距離データの新メータユニット１Ａへの書込みが制限されるため、不正、或いは誤って総走行距離データが少なくなる方向に記憶されてしまうことを抑制することができる。
また、メータ部品番号の比較に基づいて旧メータユニット１Ａと新メータユニット１Ｂとの一致状況を確認することができる。
また、サービステスタ１０に入力された総走行距離データがデータベース２０ｂに記憶され総走行距離データと比較されるため、メータユニット１が故障した場合であっても、総走行距離データの比較に基づいてメータユニット１の一致状況を確認することができる。
また、サービステスタ１０を使用した点検、或いはサービス時に、メータユニット１のメモリ３に記憶されている最新の総走行距離データがデータベース２０ｂに転送されるため、点検、サービスと同時に総走行距離データをデータベース２０ｂに記憶させることができる。
【００２８】
尚、本実施形態では、メータユニット１Ｂへの交換時、総走行距離データを操作者がサービステスタ１０に入力することによって、情報センター２０に送信する例を示したが、その他、メータユニット１のメモリ３に記憶されている走行距離データをＰＣＭ９にも記憶させるとともに、その記憶された総走行距離データを読込み、情報センター２０に送信するようにしてもよい。
【００２９】
また、本実施形態では、メータユニット１のメモリ３に記憶されている総走行距離データの情報センター２０のデータベース２０ｂへの書込みは、点検時等サービステスタ１０がメータユニット１に接続された時に行う例を示したが、その他、メータユニット１と情報センター２０とのそれぞれに、送信手段と受信手段とからなる無線通信手段を設け、総走行距離データを定期的にメータユニット１から情報センター２０に送信し、データベース２０ｂに記憶させるようにしてもよい。
【００３０】
また、本実施形態では、新メータユニットへの交換時、総走行距離データ、メータ部品番号との比較や、その比較結果に基づく総走行距離データの書込み、書込み禁止指令を、情報センター２０のサーバ２０ａが行う例を示したが、その比較や指令をサービステスタ１０のマイクロコンピュータに実行させるようにしてもよい。
【図面の簡単な説明】
【００３１】
【図１】本発明の実施形態に係るシステムブロック図。
【図２】本発明の実施形態に係るメータユニット交換前のデータ記憶状態を示す図。
【図３】本発明の実施形態に係るメータユニット交換状態を示す図。
【図４】本発明の実施形態に係るメータユニット交換状態を示す図。
【図５】本発明の実施形態に係るサービステスタの処理を示すフローチャート。
【図６】本発明の実施形態に係る情報センターの処理を示すフローチャート。
【図７】本発明の実施形態に係るメータユニットの処理を示すフローチャート。
【符号の説明】
【００３２】
１：メータユニット
１Ａ：旧メータユニット
１Ｂ：新メータユニット
３：メモリ（記憶部）
４：オドメータ表示部（表示部）
８：車速センサ（計測手段）
１０：サービステスタ（データ処理手段）
２０：情報センター（データベースユニット）
２０ａ：サーバ
２０ｂ：データベース
【図１】
2005053397.tif 000003
【図２】
2005053397.tif 000004
【図３】
2005053397.tif 000005
【図４】
2005053397.tif 000006
【図５】
2005053397.tif 000007
【図６】
2005053397.tif 000008
【図７】
2005053397.tif 000009